(57)【要約】【課題】  通常の再生や記録動作ではない特殊動作時であっても複数のモータを確実に連動させることが可能なＶＣＲ用モータドライバＩＣを提供する。【解決手段】  モータドライバＩＣ１の内部には、ローディングモータ駆動回路２とドラムモータ駆動回路３と、キャプスタンモータ駆動回路４とが備えられている。ドラムモータ駆動回路３とキャプスタンモータ駆動回路４とにはそれぞれ定電流回路５，８とカレントソースアンプ６，９が備えられており、入力される制御信号により各モータが連動して動作するように各モータの駆動信号を生成する。このような構成において、ローディングモータ駆動回路２の接地端子を大電流用のモータ用接地ＭＧＮＤに接続し、カレントソースアンプ６，９の接地電位入力端子を、モータ用接地ＭＧＮＤとは異なる、小電流用のシグナル用接地ＳＧＮＤに接続する。【選択図】  図１
0003102513.tif 000002
【実用新案登録請求の範囲】
【請求項１】
磁気テープ記録媒体をローディングする機構を動作させるローディングモータと、前記磁気テープ記録媒体を所定方向に搬送する機構を動作させるキャプスタンモータと、前記磁気テープ記録媒体の記録再生に用いるドラムを動作させるドラムモータと、これらを連動させて駆動する駆動回路が形成されたモータドライバＩＣと、を備えたＶＣＲ装置において、
前記モータドライバＩＣのローディングモータの駆動回路はカレントソースアンプを備えないモータ駆動回路であり、
前記モータドライバＩＣのドラムモータの駆動回路と前記キャプスタンモータの駆動回路とはそれぞれにカレントソースアンプを備えるモータ駆動回路であり、
前記ドラムモータの駆動回路および前記キャプスタンモータの駆動回路のカレントソースアンプの接地電位入力端子と、前記ローディングモータの駆動回路の接地端子とが異なる外部接続端子に接続されており、
且つ前記カレントソースアンプの接地電位入力端子は、前記ローディングモータの駆動回路の接地端子の接地個所と異なる、該接地個所よりも電流容量が小さい接地個所で接地されてことを特徴とするＶＣＲ装置。
【請求項２】
カレントソースアンプを備えない第１のモータ駆動回路と、それぞれにカレントソースアンプを備える第２、第３のモータ駆動回路とを備えるモータドライバＩＣにおいて、
前記カレントソースアンプの接地電位入力端子と、前記第１のモータ駆動回路の接地端子とが異なる外部接続端子に接続されている特徴とするモータドライバＩＣ。
【請求項３】
前記カレントソースアンプの接地電位入力端子は、前記第１のモータ駆動回路の接地端子よりも電流容量が小さい前記外部接続端子に接続される請求項２に記載のモータドライバＩＣ。
【考案の詳細な説明】
【技術分野】
【０００１】
この考案は、それぞれに異なるモータを駆動するモータ駆動回路を複数備え、これらのモータを連動して動作させるモータドライバＩＣとこのモータドライバＩＣを備えたＶＣＲ装置に関するものである。
【背景技術】
【０００２】
磁気テープ記録媒体、所謂ビデオテープに映像の記録を行ったり、ビデオテープから映像の再生を行うＶＣＲ装置には、ビデオテープをローディングする機構と、ビデオテープを所定方向に搬送する機構と、ビデオテープへの映像信号の記録や、ビデオテープに記録された映像信号の再生を行う機構とが存在する。これら各機構にはモータが備えられており、ローディング機構にはローディングモータが備えられ、ビデオテープの搬送機構にはキャプスタンモータが備えられ、ビデオテープの記録再生機構には記録再生を行うドラムを回転させるドラムモータが備えられている。そして、これらのモータはそれぞれ個別の駆動回路により駆動されており、各駆動回路はモータ用接地（例えば、ＶＣＲのフレームグラウンド等。）に接続され、接地されている（例えば、特許文献１参照。）。
【０００３】
このようなＶＣＲ装置では、前述の各駆動回路を１つのＩＣ内に形成した、モータドライバＩＣが用いられている。
【０００４】
図３はこのようなモータドライバＩＣの概略構成図である。
【０００５】
図３に示すように、このモータドライバＩＣ１は、ローディングモータ駆動回路２、ドラムモータ駆動回路３、キャプスタンモータ駆動回路４を備えており、それぞれ外部のローディングモータ２０、ドラムモータ３０、キャプスタンモータ４０に接続されている。また、ドラムモータ駆動回路３には、定電流源５、カレントソースアンプ６、およびドラムモータ駆動信号出力回路７が備えられ、キャプスタンモータ駆動回路４には、定電流源８、カレントソースアンプ９、およびキャプスタンモータ駆動信号出力回路１０が備えられている。ここで、カレントソースアンプ６，９の＋入力端子はそれぞれ定電流源５，８に接続されてるとともに、抵抗ＲD ，ＲC を介してモータ用接地ＭＧＮＤに接続されている。カレントソースアンプ６，９の−入力端子はそれぞれ外部の電流センシング抵抗ＲSD，ＲSCに接続され、これら電流センシング抵抗ＲSD，ＲSCの他端はモータ用接地ＭＧＮＤに接続されている。また、カレントソースアンプ６，９の接地電位入力端子はローディングモータ駆動回路２の接地端子に接続され、モータ用接地ＭＧＮＤに接続されている。また、定電流源５，８はそれぞれドラムモータ制御信号入力端子、およびキャプスタンモータ制御信号入力端子に接続されており、これらの制御信号によりドラムモータ３０およびキャプスタンモータ４０がローディングモータ２０と連動して、ビデオテープに対して所定の処理を行う。
【特許文献１】特開２００１−２０４１６４公報
【考案の開示】
【考案が解決しようとする課題】
【０００６】
ところが、図３に示すモータドライバＩＣでは、ローディングモータ駆動回路２の接地端子とモータ用接地ＭＧＮＤとの間に、これらの間に使用される配線ワイヤ等の影響により実質的に抵抗ＲW が挿入されており、この抵抗ＲW が存在することにより、大電流駆動時にこの抵抗ＲW による電位差が発生する。これにより、カレントソースアンプ６，９の接地電位入力端子に所定値の電位差の信号が入力され、この信号（電位差）が、ドラムモータ駆動信号およびキャプスタンモータ駆動信号に重畳されて、ドラムモータやキャプスタンモータがローディングモータよりも早く回転して、画像の横揺れが発生するという問題が発生する。また、ローディングモータが何らかの理由で停止した場合にも、キャプスタンモータが回転（空転）して、ビデオテープが不要に進んでしまうという問題があった。
【０００７】
この考案の目的は、前述のような状況であっても各モータが確実に連動し、画像の横揺れやビデオテープの不要な進みを抑制することができるモータドライバＩＣおよびこれを用いたＶＣＲ装置を提供することにある。
【課題を解決するための手段】
【０００８】
この考案は、カレントソースアンプを備えない第１のモータ駆動回路と、それぞれに異なるカレントソースアンプを備える第２、第３のモータ駆動回路とを備えるモータドライバＩＣにおいて、第２、第３のモータ駆動回路のカレントソースアンプの接地電位入力端子と、第１のモータ駆動回路の接地端子とを、互いに異なる外部接続端子に接続したことを特徴としている。
【０００９】
この構成では、第１のモータ駆動回路の接地端子と、第２、第３のモータ駆動回路のカレントソースアンプの接地電位入力端子とが異なる外部接続端子に接続され、これらの外部接続端子が異なる接地個所で接地されることにより、第１のモータ駆動回路の接地端子に流れる電流が第２、第３のモータ駆動回路のカレントソースアンプに影響を与えることがない。
【００１０】
また、この考案は、カレントソースアンプの接地電位入力端子を、第１のモータ駆動回路の接地端子よりも電流容量が小さい外部接続端子に接続することを特徴としている。
【００１１】
この構成では、回路素子であるカレントソースアンプの接地電位入力端子がこのカレントソースアンプが実装される基板の接地電極のような電流容量の小さい接地端子に接続される。これにより比較的容易に、且つ短経路で接地電位入力端子と接地とが接続される。
【００１２】
また、この考案は、磁気テープ記録媒体をローディングする機構を動作させるローディングモータと、磁気テープ記録媒体を所定方向に搬送する機構を動作させるキャプスタンモータと、磁気テープ記録媒体の記録再生に用いるドラムを動作させるドラムモータと、これらを連動させて駆動する駆動回路が形成されたモータドライバＩＣと、を備えたＶＣＲ装置において、モータドライバＩＣのローディングモータの駆動回路をカレントソースアンプを備えないモータ駆動回路とし、モータドライバＩＣのドラムモータの駆動回路とキャプスタンモータの駆動回路とをそれぞれにカレントソースアンプを備えるモータ駆動回路とし、ドラムモータの駆動回路およびキャプスタンモータの駆動回路のカレントソースアンプの接地電位入力端子と、ローディングモータの駆動回路の接地端子とを異なる外部接続端子に接続し、且つカレントソースアンプの接地電位入力端子を、ローディングモータの駆動回路の接地端子の接地個所と異なる、該接地個所よりも電流容量が小さい接地個所にて接地することを特徴としている。
【００１３】
この構成では、ドラムモータの駆動回路およびキャプスタンモータの駆動回路のカレントソースアンプの接地電位入力端子がローディングモータの駆動回路の接地端子とは異なる接地個所で接地されるので、ローディングモータの駆動回路の接地端子に流れる電流による各カレントソースアンプへの影響が抑制される。これにより、これらのカレントソースアンプの接地電位入力端子の電位が常に接地電位から上昇せず、各駆動回路に入力される駆動制御信号に応じた出力が得られる。
【考案の効果】
【００１４】
この考案によれば、カレントソースアンプの接地電位入力端子が接地電位で一定となるので、カレントソースアンプからの出力が安定し、該カレントソースアンプを備えるモータ駆動回路の動作が安定する。
【００１５】
また、この考案によれば、ローディングモータ駆動回路の接地端子に流れる電流による、ドラムモータ駆動回路およびキャプスタンモータ駆動回路のカレントソースアンプの接地電位の上昇が抑制されるので、駆動信号が安定して、ドラムモータおよびキャプスタンモータの駆動制御を正確に行うことができる。これにより、スロー再生やサーチ再生時に発生する画面の横揺れや、ローディングモータのロック時のキャプスタンモータの空転を抑制でき、確実、正確に動作させることができる。
【考案を実施するための最良の形態】
【００１６】
本考案の実施形態に係るＶＣＲ装置のモータドライバＩＣについて、図１を参照して説明する。
【００１７】
図１は本実施形態のモータドライバＩＣの概略構成図である。
【００１８】
図１に示すように、このモータドライバＩＣ１は、ローディングモータ駆動回路２、ドラムモータ駆動回路３、およびキャプスタンモータ駆動回路４を内部に備えている。また、このモータドライバＩＣ１には、モータ電圧信号ＶM 用入力端子、ドラムモータ制御信号ＤD 用入力端子、キャプスタンモータ制御信号ＤC 用入力端子、一対のローディングモータ駆動信号出力端子、一対のドラムモータ駆動信号出力端子、一対のキャプスタンモータ駆動信号出力端子、ドラムモータ用センシング信号入力端子、キャプスタンモータ用センシング信号入力端子、モータ用接地ＭＧＮＤ接続端子、および、シグナル用接地ＳＧＮＤ接続端子が備えられている。なお、モータ用接地ＭＧＮＤとは、モータ等の大電流信号で駆動する装置のための接地であり、ＶＣＲ装置の接地個所、例えば、フレーム接地処理された筐体（フレームグラウンド）等である。一方、シグナル用接地ＳＧＮＤとは、オペアンプやトランジスタ等の小電流信号で駆動する素子のための接地であり、これらの素子が実装される基板の接地電極等である。
【００１９】
モータドライバＩＣ１のローディングモータ駆動信号出力端子にはローディングモータ２０が接続され、ドラムモータ駆動信号出力端子にはドラムモータ３０が接続され、キャプスタンモータ駆動信号出力端子にはキャプスタンモータ４０が接続されており、ドラムモータ用センシング信号入力端子、キャプスタンモータ用センシング信号入力端子にはそれぞれ電流センシング抵抗ＲSD，ＲSCを介してモータ用接地ＭＧＮＤが接続されている。
【００２０】
ローディングモータ駆動回路２は、モータ電圧信号ＶM 入力端子、一対のローディングモータ駆動信号出力端子、およびモータ用接地ＭＧＮＤ接続端子に接続し、所定のスイッチング回路を備える。そして、ローディングモータ駆動回路２は、モータ電圧信号ＶM 入力端子から入力される所定電圧の信号に基づき既知のスイッチング回路でローディングモータ駆動信号を生成し、ローディングモータ駆動信号出力端子から出力する。ここで、ローディングモータは通常大電流（例えば、６００ｍＡ〜１．５Ａ程度）が流れるので、この回路の接地端子は、モータ用接地ＭＧＮＤ接続端子を介してモータ用接地ＭＧＮＤで接地されている。
【００２１】
ドラムモータ駆動回路３は、ドラムモータ制御信号ＤD 用入力端子に接続する定電流源５と、該定電流源５に＋入力端子が接続するカレントソースアンプ６と、該カレントソースアンプ６の出力端子に接続するドラムモータ駆動信号出力回路７とを備える。カレントソースアンプ６の＋入力端子と定電流源５との接続点は抵抗ＲD の一端に接続され、この抵抗ＲD の他端は、小電流（２０ｍＡ〜３０ｍＡ程度）用のシグナル用接地ＳＧＮＤに接続されている。また、カレントソースアンプ６の−入力端子は電流センシング抵抗接続端子を介してドラムモータ用電流センシング抵抗ＲSDに接続されている。さらに、カレントソースアンプ６の接地電位入力端子はシグナル用接地ＳＧＮＤ接続端子を介してシグナル用接地ＳＧＮＤに接続されている。ドラムモータ駆動信号出力回路７はドラムモータ駆動信号出力端子を介してドラムモータ３０に接続し、カレントソースアンプ６から出力される信号に基づいてドラムモータ駆動信号を生成してドラムモータ３０に出力する。
【００２２】
キャプスタンモータ駆動回路４は、キャプスタンモータ制御信号ＤC 用入力端子に接続する定電流源８と、該定電流源８に＋入力端子が接続するカレントソースアンプ９と、該カレントソースアンプ９の出力端子に接続するキャプスタンモータ駆動信号出力回路１０とを備える。カレントソースアンプ９の＋入力端子と定電流源８との接続点は抵抗ＲC の一端に接続され、この抵抗ＲC の他端はシグナル用接地ＳＧＮＤに接続されている。また、カレントソースアンプ９の−入力端子は電流センシング抵抗接続端子を介してキャプスタンモータ用電流センシング抵抗ＲSCに接続されている。さらに、カレントソースアンプ９の接地電位入力端子はシグナル用接地ＳＧＮＤ接続端子を介してシグナル用接地ＳＧＮＤに接続されている。キャプスタンモータ駆動信号出力回路１０はキャプスタンモータ駆動信号出力端子を介してキャプスタンモータ４０に接続し、カレントソースアンプ９から出力される信号に基づいてキャプスタンモータ駆動信号を生成してキャプスタンモータ４０に出力する。
【００２３】
このようなモータドライバＩＣを備えたＶＣＲ装置の図示しない操作部で再生、記録等の操作が入力されると、モータドライバＩＣ１のローディングモータ駆動回路２は入力されるモータ駆動電圧信号ＶM を用いて、所定周波数でローディングモータ２０が回転するように内蔵されたスイッチング回路でローディングモータ駆動信号を生成して、ローディングモータ２０に出力する。
【００２４】
ドラムモータ駆動回路３には、前記ローディングモータの回転周期に基づいて設定されたドラムモータ制御信号ＤD が入力される。ドラムモータ制御信号ＤD が入力されると、定電流源５からドラムモータ制御信号ＤD に応じたパターンの信号が抵抗ＲD に流れて、この抵抗ＲD の電位差に応じた所定の信号がカレントソースアンプ６の＋入力端子に入力される。また、カレントソースアンプ６の−入力端子には電流センシング抵抗ＲSDの電位差に応じた信号が入力される。カレントソースアンプ６はこれらの信号を差分増幅してドラムモータ駆動信号出力回路７に出力し、ドラムモータ駆動信号出力回路７は所定の信号処理を行ってドラムモータ駆動信号をドラムモータ３０に出力する。これにより、ドラムモータ駆動回路３は、電流センシング抵抗ＲSDによる回転周期の調整を行いながらローディングモータ２０の回転に連動させてドラムモータ３０を回転させる。
【００２５】
キャプスタンモータ駆動回路４には、前述のドラムモータ制御信号ＤD と同様に、前記ローディングモータの回転周期に基づいて設定されたキャプスタンモータ制御信号ＤC が入力される。キャプスタンモータ制御信号ＤC が入力されると、定電流源８からキャプスタンモータ制御信号ＤC に応じたパターンの信号が抵抗ＲC に流れて、この抵抗ＲC の電位差に応じた所定の信号がカレントソースアンプ９の＋入力端子に入力される。また、カレントソースアンプ９の−入力端子には電流センシング抵抗ＲSCの電位差に応じた信号が入力される。カレントソースアンプ９はこれらの信号を差分増幅してキャプスタンモータ駆動信号出力回路１０に出力し、キャプスタンモータ駆動信号出力回路１０は所定の信号処理を行ってキャプスタンモータ駆動信号をキャプスタンモータ４０に出力する。これにより、キャプスタンモータ駆動回路４は、電流センシング抵抗ＲSCによる回転周期の調整を行いながら、ローディングモータ２０、およびドラムモータ３０に連動させてキャプスタンモータ４０を回転させる。
【００２６】
これらの構成では、ドラムモータ駆動回路３のカレントソースアンプ６とキャプスタンモータ駆動回路４のカレントソースアンプ１０との接地電位側がモータ用接地ＭＧＮＤとは異なるシグナル用接地ＳＧＮＤに接続されている。
【００２７】
これにより、スロー再生時やサーチ再生時、またはローディングモータ２０がロックした場合に、ローディングモータ駆動回路２の接地端子からモータ用接地ＭＧＮＤに電流が流れて、この配線パターンの抵抗ＲWで電圧降下が生じても、カレントソースアンプ６，９の接地電位は影響を受けない。この結果、ドラムモータ駆動回路３とキャプスタンモータ駆動回路４は正常に機能し、ドラムモータ３０およびキャプスタンモータ４０を正確に回転制御することができる。
【００２８】
次に、このような構成のモータドライバＩＣを備えたＶＣＲ装置について図２を参照して説明する。
【００２９】
図２はＶＣＲ装置の概略構成図である。
【００３０】
図２に示すように、ＶＣＲ装置の映像再生記録部１０１は、前述のモータドライバＩＣ１と、ローディングモータ２０、ドラムモータ３０、およびキャプスタンモータ４０のモータ群と、ビデオテープ（磁気テープ記録媒体）に映像信号を記録したり、ビデオテープに記録されている映像信号を再生する映像信号処理部１１０とを備える。また、ＶＣＲ装置は外部から映像信号を入力し映像再生記録部１０１に出力する信号入力部１０２と、アンテナで受信した放送信号を再生して映像信号を出力する受信部１０３と、映像信号再生記録部１０１からの映像信号を外部のモニタ等に出力する映像出力部１０４と、ユーザからのコマンドを入力するための操作部１０５と、これら全ての部分の制御を行う制御部１００とからなる。
【００３１】
ユーザにより操作部１０５を用いて再生操作入力がされると、映像再生記録部１０１のモータドライバＩＣ１は各モータ２０，３０，４０を制御し、連動して駆動させて所定の速度でビデオテープを搬送する。そして、映像信号処理部１１０はビデオテープに接触させたドラムヘッドによりビデオテープに記録されいている映像信号を読み取り映像出力部１０４に出力する。
【００３２】
一方、ユーザから放送番組の記録操作入力が行われると、受信部１０３は放送信号から映像信号再生して映像再生記録部１０１に出力する。映像再生記録部１０１のモータドライバＩＣ１は各モータ２０，３０，４０を制御し、連動して駆動させて所定の速度でビデオテープを搬送する。そして、映像信号処理部１１０はビデオテープに接触させたドラムヘッドにより入力された映像信号をビデオテープに記録する。
【００３３】
このように前述のモータドライバＩＣをモータ駆動部に備えたＶＣＲ装置では、スロー再生やサーチ再生時に発生する画面の横揺れや、ローディングモータのロック時のキャプスタンモータの空転を抑制でき、確実、正確に記録再生を行うことができる。
【図面の簡単な説明】
【００３４】
【図１】本考案の実施形態に係るモータドライバＩＣの概略構成図
【図２】本考案の実施形態に係るＶＣＲ装置の概略構成図
【図３】従来のモータドライバＩＣの概略構成図
【符号の説明】
【００３５】
１−モータドライバＩＣ
２−ローディングモータ駆動回路
３−ドラムモータ駆動回路
４−キャプスタンモータ駆動回路
５，８−定電流源
６，９−カレントソースアンプ
７−ドラムモータ駆動信号出力回路
１０−キャプスタンモータ駆動信号出力回路
２０−ローディングモータ
３０−ドラムモータ
４０−キャプスタンモータ
１００−制御部
１０１−映像再生記録部
１０２−信号入力部
１０３−受信部
１０４−映像出力部
１０５−操作部
１１０−映像信号処理部
ＭＧＮＤ−モータ用接地
ＳＧＮＤ−シグナル用接地
【図１】
0003102513.tif 000003
【図２】
0003102513.tif 000004
【図３】
0003102513.tif 000005